(57)【特許請求の範囲】
【請求項１】
合成樹脂製上框と合成樹脂製下框と合成樹脂製戸当り框と合成樹脂製召合せ框を方形状に連結し、その内部にガラス等を取付けた合成樹脂製障子において、
前記合成樹脂製召合せ框を、他の框とほぼ同一の見込み寸法で中空部を有する合成樹脂製の框本体と、
この框本体の中空部に嵌合して取付けた補強芯材と、この框本体の見込み方向一側面に取付けた金属製の補強縦材と、この補強縦材をカバーする補強材カバーで構成し、
前記補強材カバーは基板と両側板で横断面ほぼコ字状で、かつ前記補強縦材にスナップ式に係合して取付けて、その両側板が框本体の見込み方向一側面に接するようにしてあることを特徴とする合成樹脂製障子。
【発明の詳細な説明】
【０００１】
【発明の属する技術分野】
本発明は、引違い窓に用いられる合成樹脂製障子に関する。
【０００２】
【従来の技術】
合成樹脂製障子を用いた引違い窓としては、例えば実公昭６３−３２８７０号公報に示すように、窓枠の面外方向室内寄りと室外寄りに合成樹脂製障子を面内方向に移動自在にそれぞれ装着したものが知られている。
【０００３】
前記合成樹脂製障子は合成樹脂製上框と合成樹脂製下框と合成樹脂製縦框を方形状に連結し、その内部にガラスを取付けたものである。
【０００４】
【発明が解決しようとする課題】
かかる合成樹脂製障子の各框は端部を４５度に切断して溶着等で連結しているから、各框の見込み寸法は同一である。また、各框は見込み寸法を大きくして見込み方向の剛性を大として合成樹脂製障子が風圧によって面外方向に湾曲変形しないようにしてある。
【０００５】
このようであるから、高層建物の上部階等に取付けられて強い風圧が作用する引違い窓や面内方向上下寸法の大きな引違い窓等に用いる合成樹脂製障子は見込み寸法が大きな合成樹脂製上框、合成樹脂製下框、合成樹脂製縦框を用いているので、高価となる。
【０００６】
そこで、本発明は前述の課題を解決できるようにした合成樹脂製障子を提供することを目的とする。
【０００７】
【課題を解決するための手段】
本発明は、合成樹脂製上框と合成樹脂製下框と合成樹脂製戸当り框と合成樹脂製召合せ框を方形状に連結し、その内部にガラス等を取付けた合成樹脂製障子において、
前記合成樹脂製召合せ框を、他の框とほぼ同一の見込み寸法で中空部を有する合成樹脂製の框本体と、
この框本体の中空部に嵌合して取付けた補強芯材と、この框本体の見込み方向一側面に取付けた金属製の補強縦材と、この補強縦材をカバーする補強材カバーで構成し、
前記補強材カバーは基板と両側板で横断面ほぼコ字状で、かつ前記補強縦材にスナップ式に係合して取付けて、その両側板が框本体の見込み方向一側面に接するようにしてあることを特徴とする合成樹脂製障子である。
【０００８】
【作  用】
本発明によれば、合成樹脂製の框本体を金属製の補強縦材で補強したことで合成樹脂製召合せ框の剛性が大となるから、障子が風圧によって面外方向に湾曲変形することを防止できる。
【０００９】
しかも、框本体は合成樹脂製で他の各框とほぼ同一の見込み寸法であるから、他の各框と框本体の見込み寸法が召合せ框よりも小さく安価であるし、他の各框と框本体を４５度切断で溶着等で強固に連結できる。
【００１０】
さらに、補強縦材は補強材カバーで覆われて見えので、見栄えが良い。
【００１１】
【発明の実施の形態】
図１と図２に示すように、上枠１と下枠２と左右の縦枠３を方形状に連結して窓枠４としてある。この窓枠４の面外方向室内寄りと面外方向室外寄りに合成樹脂製障子５が面内方向に移動自在に装着されて引違い窓を構成している。
【００１２】
前記合成樹脂製障子５は合成樹脂製上框１０と合成樹脂製下框１１と合成樹脂製召合せ框１２と合成樹脂製戸当り框１３を方形状に連結し、その内部にガラス１４が取付けてある。
【００１３】
前記合成樹脂製上框１０、合成樹脂製下框１１、合成樹脂製戸当り框１３及び合成樹脂製召合せ框１２の框本体１５は、中空部１６と外向凹部１７と内向凹部１８と有すると共に、見込み方向両側の見付け方向外部に外向凹条溝１９を有する同一断面形で、同一見込み寸法、同一見付け寸法となっている。
【００１４】
前記面外方向室内寄りの障子５の召合せ框１２は、合成樹脂製の框本体１５と、その外向凹部１８に取付けた合成樹脂製の框アタッチメント２０と、框本体１５の見込み方向室内面に取付けた補強縦材２１と、この補強縦材２１に取付けた補強材カバー２２で構成してある。前記面外方向室外寄りの障子５の召合せ框１２は框本体１５と框アタッチメント２０で構成してある。
【００１５】
前記合成樹脂製上框１０以外の框の中空部１６には補強芯材２３が嵌合して取付けられて補強している。
【００１６】
このようであるから、合成樹脂製上框１０と合成樹脂製下框１１と合成樹脂製戸当り框１３と召合せ框１２の框本体１５が同一の形材であるから、形材の製造が簡単であるし、安価となり、しかも形材種類が少ないから在庫管理等が容易となる。しかも、図３に示すように各端部を４５度に切断して溶着等で強固に連結できる。
【００１７】
また、合成樹脂製上框１０、合成樹脂製下框１１、合成樹脂製戸当り框１３の外向凹条溝１９にガタ止めや、気密材を装着できる。召合せ框１２の框本体１５の外向凹溝１９は框アタッチメント２０で閉塞されるから目視されずに見栄えが良い。
【００１８】
前記補強縦材２１はアルミ等の金属製で図２に示すように、ビス挿通部３０と中空部３１を有するほぼ矩形状の横断面形状で、その見付け方向両側面に係止部３２が設けられ、見込み方向一側面に凹部３３を有している。ビス挿通部３０を挿通したビス３４を補強芯材２３に螺合して補強縦材２１を框本体１５に固定してある。
【００１９】
前記補強材カバー２２は合成樹脂製で基板３５と両側板３６で横断面ほぼコ字状となり、この両側板３６の係止部３７が前記係止部３２に係合してスナップ式に取付けられる。補強材カバー２２の上部と下部にキャップ３８がそれぞれ取付けてある。
【００２０】
図４は本発明の第２の実施の形態を示し、補強縦材２１は基板３９と両側板４０で横断面ほぼコ字状で、両側板４０に係止部４１とビスホール４２が形成してある。この基板３９をビス３４で取付け、補強材カバー２２をスナップ式に係合して取付ける。
【００２１】
図５に示すように、キャップ３８はビスホール４２にネジ合したビス４３で取付けられる。なお、キャップ３８は補強縦材２１の内側面に嵌合するので、ビス止めしなくとも良い。
【００２２】
図６に示すように、補強縦材２１の見付方向両側面２１ａ，２１ａにおける見込み方向一端部に係合凹部４２を形成し、この係止凹部４２に補強材カバー２２の係止部３７を係合して補強材カバー２２を取付けてある。
【００２３】
このようにすれば、補強材カバー２２の係止部３７が框本体１５の見込み方向一側面１５ａに接触し、補強材カバー２２と框本体１５が一体的となるので、見栄えが良い。
【００２４】
図７と図８は第４の実施の形態を示し、合成樹脂製上框１０の見込み方向一側面１０ａ、合成樹脂製下框１１の見込み方向一側面１１ａ、框本体１５の見込み方向一側面１５ａに凹部５０がそれぞれ形成してある。
【００２５】
補強縦材２１は基板５１と両側Ｌ字板５２でほぼコ字状としてあり、その基板５１のコ字状折曲部５１ａが框本体１５の凹部５０に嵌合して見付け方向に位置決めされる。
【００２６】
キャップ３８は図９に示すように一対の係合片５３を備え、補強縦材２１の両側Ｌ字板５２には係合孔５４が形成され、この係合孔５４に係合片５３を係合してキャップ３８が補強縦材２１に取付けられる。
【００２７】
このキャップ３８は図７に示すように上框１０、下框１１の凹部５０にそれぞれ嵌合される。
【００２８】
このようであるから、補強縦材２１は見付け方向及び上下方向に位置決めされて仮止めされる。この状態でビス３４で補強縦材２１を固定する。最後に補強材カバー２２を取付ける。
【００２９】
【発明の効果】
本発明によれば、合成樹脂製の框本体を金属製の補強縦材で補強したことで合成樹脂製召合せ框の剛性が大となるから、障子が風圧によって面外方向に湾曲変形することを防止できる。
【００３０】
しかも、框本体は合成樹脂製で他の各框とほぼ同一の見込み寸法であるから、他の各框と框本体の見込み寸法が召合せ框よりも小さく安価であるし、他の各框と框本体を４５度切断で溶着等で強固に連結できる。
【００３１】
さらに、補強縦材は補強材カバーで覆われて見えので、見栄えが良い。
【図面の簡単な説明】
【図１】本発明の第１実施の形態を示す全体縦断面図である。
【図２】本発明の第１実施の形態を示す全体横断面図である。
【図３】障子の概略正面図である。
【図４】本発明の第２の実施の形態を示す召合せ部の横断面図である。
【図５】補強縦材と補強材カバーとキャップの分解斜視図である。
【図６】本発明の第３の実施の形態を示す召合せ框の横断面図である。
【図７】本発明の第４の実施の形態を示す縦断面図である。
【図８】本発明の第４の実施の形態を示す横断面図である。
【図９】キャップ取付部の分解斜視図である。
【符号の説明】
４…窓枠、５…合成樹脂製障子、１０…合成樹脂製上框、１１…合成樹脂製下框、１２…合成樹脂製召合せ框、１３…合成樹脂製戸当り框、１４…ガラス、１５…框本体、２１…補強縦材、２２…補強材カバー。
【図１】
0003890554.tif 000002
【図２】
0003890554.tif 000003
【図３】
0003890554.tif 000004
【図４】
0003890554.tif 000005
【図５】
0003890554.tif 000006
【図６】
0003890554.tif 000007
【図７】
0003890554.tif 000008
【図８】
0003890554.tif 000009
【図９】
0003890554.tif 000010